(57)【特許請求の範囲】
【請求項１】
電気回路基板に設けられたスルーホールに挿入されて該電気回路基板に電子部品を保持する保持部材であって、
前記電子部品に固定される板状の基部と、
前記基部から前記スルーホールに挿入される挿入方向に延び、途中で該挿入方向に対し横向きかつ互いに離れる外向きに折れて延在し外向きに凸の曲線を描いて互いに再び近づく内向きに延在する各ばね部と、該ばね部から前記挿入方向に延び先端側において外向きに突出して該スルーホール挿入後に該ばね部の外向きの反発力により該スルーホールの縁に係止される係止部とを有する一対の第１の脚部と、
前記基部から延び、前記ばね部よりも先端側において該ばね部と対向する位置まで延び、該ばね部の伸びを規制する規制部を有する第２の脚部とを備えたこと特徴とする保持部材。
【請求項２】
前記ばね部が、該ばね部の外向きに延在する部分の板面と内向きに延在する部分の板面とが、互いに対向する向きに形成されていることを特徴とする請求項１記載の保持部材。
【請求項３】
前記第２の脚部が、前記一対の第１の脚部のほぼ中央に形成されたものであることを特徴とする請求項１または２記載の保持部材。
【請求項４】
前記第２の脚部が、前記一対の第１の脚部のほぼ中央に形成されるとともに、前記規制部からさらに前記スルーホールへの挿入の向きに延び、前記第１の脚部との間に、溶融はんだが毛細管現象により流入する隙間を形成するものであることを特徴とする請求項１、２または３記載の保持部材。
【請求項５】
当該保持部材は、表面が溶融はんだによって濡れる金属製であることを特徴とする請求項１から４のうちいずれか１項記載の保持部材。
【請求項６】
スルーホールが設けられた電気回路基板と、
前記スルーホールに挿入された脚部を有し、前記電気回路基板に電子部品を保持させる保持部材と、
前記脚部が挿入された状態の前記スルーホールを埋めて前記電気回路基板に前記保持部材を固定するはんだとを備えた実装構造であって、
前記保持部材は、
前記電子部品に固定される板状の基部と、
前記基部から前記スルーホールに挿入される挿入方向に延び、途中で該挿入方向に対し横向きかつ互いに離れる外向きに折れて延在し外向きに凸の曲線を描いて互いに再び近づく内向きに延在する各ばね部と、該ばね部から前記挿入方向に延び先端側において外向きに突出して該スルーホール挿入後に該ばね部の外向きの反発力により該スルーホールの縁に係止される係止部とを有する一対の第１の脚部と、
前記基部から延び、前記ばね部よりも先端側において該ばね部と対向する位置まで延び、該ばね部の伸びを規制する規制部を有する第２の脚部とを備えたものであること特徴とする実装構造。
【請求項７】
スルーホールが設けられた電気回路基板に保持される電子部品であって、
前記スルーホールに挿入される脚部を有し、前記電気回路基板に前記電子部品を保持させる保持部材を備え、
前記保持部材は、
前記電子部品に固定される板状の基部と、
前記基部から前記スルーホールに挿入される挿入方向に延び、途中で該挿入方向に対し横向きかつ互いに離れる外向きに折れて延在し外向きに凸の曲線を描いて互いに再び近づく内向きに延在する各ばね部と、該ばね部から前記挿入方向に延び先端側において外向きに突出して該スルーホール挿入後に該ばね部の外向きの反発力により該スルーホールの縁に係止される係止部とを有する一対の第１の脚部と、
前記基部から延び、前記ばね部よりも先端側において該ばね部と対向する位置まで延び、該ばね部の伸びを規制する規制部を有する第２の脚部とを備えたものであること特徴とする電子部品。
【発明の詳細な説明】
【技術分野】
【０００１】
本発明は、電気回路基板に設けられたスルーホールに挿入されて電気回路基板に電子部品を保持する保持部材、このような保持部材が電気回路基板に実装された実装構造、およびこのような保持部材を備えた電子部品に関する。
【背景技術】
【０００２】
従来より、例えばコネクタのような電子部品を電気回路基板に実装する技術として、電子部品に取り付けた保持部材を電気回路基板に形成されたスルーホールに押し込むことによって電気回路基板に電子部品を保持する技術が知られている。また、電子部品を電気回路基板に強固に固定するために、保持部材は、電気回路基板にはんだ付けされる場合がある。
【０００３】
このような保持部材として、例えば、金属板を打抜き加工して形成された平面的な保持部材を面内方向において弾性変形させてスルーホールに押し込む技術が提案されている（例えば、特許文献１および特許文献２参照。）。この保持部材は、コネクタに固定される頭部から二股状に延びる一対の脚部それぞれの両外側に引掛り部が設けられた形状を有している。保持部材の脚部が電気回路基板のスルーホールに押し込まれると、引掛り部が、電気回路基板のスルーホールを貫通して、電気回路基板に引っ掛かる。従って、コネクタに固定した保持部材がスルーホールに押し込まれただけでまだはんだ付けされていない状態であってもそのコネクタは保持部材によって電気回路基板から脱落しないよう保持される。しかしながら、この保持部材は平面的であり、一対の脚部は面内方向のみに弾性変形するようにされていることから、板厚方向に弾性変位可能なようにされているばねに比べて、弾性変形させるために大きな力を要し、ばね定数を小さくし難い。しかも、弾性変形量が小さく、塑性変形に至らない範囲が狭い。このため、金属板を打抜き加工してなる一対の脚部の切断面が、押し込む際にスルーホール内面に強く接触することとなり、スルーホール内面を損傷してしまうおそれがある。
【０００４】
このような問題に対処した保持部材として、例えば、コネクタに固定される板状の基部からほぼ同じ向きに延び、板厚方向に弾性変位可能な広幅のばね片を有する、互いに対向する一対の脚部を備えた保持部材が提案されている（例えば、特許文献３参照。）。この保持部材は、スルーホールに押し込まれたときに、一対の脚部が板厚方向に弾性変形する。そして、この保持部材は、スルーホールに押し込まれただけでまだはんだ付けされていない状態で、一対の脚部の外面がスルーホール内面に面接触することによって電気回路基板から脱落しないよう保持される。また、この保持部材によれば、スルーホールに押し込む際にその一対の脚部の外面がスルーホール内面にソフトに面接触することから、スルーホール内面の損傷が防止される。ところが、この保持部材は、脚部の弾性（ばね定数）を大きくすることが困難であるという短所を有する。従って、この保持部材は、スルーホールに押し込まれただけでまだはんだ付けされていない状態における保持力が小さい。そのため、例えば、その状態でコネクタをロボットで掴んで移動させるハンドリング時や、その状態でこの保持部材が強く引っ張られたときなどに、保持部材の脚部がスルーホールから抜けてしまうおそれがある。
【特許文献１】実開平６−６２４８６号公報
【特許文献２】米国特許第５５２９５１４号明細書
【特許文献３】特開２００７−１２８７７２号公報
【発明の開示】
【発明が解決しようとする課題】
【０００５】
本発明は、上記事情に鑑み、スルーホール内面を損傷することなく、スルーホールに挿入されただけでまだはんだ付けされていない状態で脚部がスルーホールから抜けてしまうことを防止した保持部材、このような保持部材が電気回路基板に実装された実装構造、およびこのような保持部材を備えた電子部品を提供することを目的とするものである。
【課題を解決するための手段】
【０００６】
上記目的を達成する本発明の保持部材は、
電気回路基板に設けられたスルーホールに挿入されてその電気回路基板に電子部品を保持する保持部材であって、
上記電子部品に固定される板状の基部と、
上記基部から上記スルーホールに挿入される挿入方向に延び、途中でこの挿入方向に対し横向きかつ互いに離れる外向きに折れて延在し外向きに凸の曲線を描いて互いに再び近づく内向きに延在する各ばね部と、このばね部から上記挿入方向に延び先端側において外向きに突出してそのスルーホール挿入後にそのばね部の外向きの反発力によりそのスルーホールの縁に係止される係止部とを有する一対の第１の脚部と、
上記基部から延び、上記ばね部よりも先端側においてこのばね部と対向する位置まで延び、このばね部の伸びを規制する規制部を有する第２の脚部とを備えたこと特徴とする保持部材。
【０００７】
本発明の保持部材は、スルーホールに挿入される一対の第１の脚部が、途中でこの挿入方向に対し横向きかつ互いに離れる外向きに折れて延在し外向きに凸の曲線を描いて互いに再び近づく内向きに延在する各ばね部を有する。そのため、スルーホールに挿入するときに、一対の第１の脚部の外面がスルーホール内面にソフトに接触する。従って、本発明の保持部材によれば、スルーホール内面の損傷が防止される。
【０００８】
また、本発明の保持部材は、一対の第１の脚部が、ばね部から挿入方向に延び先端側において外向きに突出してスルーホール挿入後にばね部の外向きの反発力によりスルーホールの縁に係止される係止部を有する。従って、本発明の保持部材によれば、スルーホールに挿入されただけでまだはんだ付けされていない状態で脚部がスルーホールから抜けてしまうことが防止される。
【０００９】
さらに、本発明の保持部材は、一対の第１の脚部のばね部よりも先端側においてばね部と対向する位置まで延びる規制部を有する第２の脚部を備えている。そのため、この第２の脚部の規制部によって一対の第１の脚部のばね部の伸びが規制される。従って、本発明の保持部材によれば、スルーホールに挿入されただけでまだはんだ付けされていない状態でこの保持部材が強く引っ張られたとしても、ばね部が伸びてしまうことが防止され、コネクタハウジングの底面と電気回路基板の表面との間に隙間が生じた状態ではんだ付けされてしまうといった不具合が回避される。
【００１０】
ここで、上記本発明の保持部材は、上記ばね部が、このばね部の外向きに延在する部分の板面と内向きに延在する部分の板面とが、互いに対向する向きに形成されていることが好ましい。
【００１１】
また、上記本発明の保持部材は、上記第２の脚部が、上記一対の第１の脚部のほぼ中央に形成されたものであることも好ましい形態である。
【００１２】
このような好ましい形態によれば、スルーホールに挿入されただけでまだはんだ付けされていない状態で保持部材に横方向の外力が作用しても、第２の脚部によってばね部の破損や異常変形が防止される。また、はんだフロー工程で、溶融はんだが、第２脚部を伝ってスルーホール内に上昇し易い。
【００１３】
また、仮に、第２の脚部が一対の第１の脚部のほぼ中央に形成されていないと、はんだフロー工程で、一対の第１の脚部の間には、はんだのみが充填されることとなる。はんだは比較的柔らかい金属であるため、大きな力が加わると容易に変形してしまう。このような好ましい形態によれば、充填されるはんだ層が薄く、第２の脚部が外力を受け止めるように構成されている。このため、スルーホールに充填されたはんだが引抜力に対して変形し難い。従って、はんだ付け後の取付け強度は、従来の保持部材の取付け強度よりも高い。
【００１４】
また、上記本発明の保持部材は、上記第２の脚部が、上記一対の第１の脚部のほぼ中央に形成されるとともに、上記規制部からさらに上記スルーホールへの挿入の向きに延び、上記第１の脚部との間に、溶融はんだが毛細管現象により流入する隙間を形成するものであることがさらに好ましい。
【００１５】
このような好ましい形態によれば、はんだフロー工程で、溶融はんだが、第２の脚部と第１脚部との間の隙間を伝ってスルーホール内に上昇し易い。このため、はんだ付け後の取付け強度は、従来の保持部材の取付け強度よりも高い。
【００１６】
さらに、上記本発明の保持部材は、当該保持部材は、表面が溶融はんだによって濡れる金属製であることが好ましい。
【００１７】
このような好ましい形態によれば、はんだフロー工程で、溶融はんだが、スルーホール内に上昇し易い。
【００１８】
また、上記目的を達成する本発明の実装構造は、
スルーホールが設けられた電気回路基板と、
上記スルーホールに挿入された脚部を有し、上記電気回路基板に電子部品を保持させる保持部材と、
上記脚部が挿入された状態の上記スルーホールを埋めて上記電気回路基板に上記保持部材を固定するはんだとを備えた実装構造であって、
上記保持部材は、
上記電子部品に固定される板状の基部と、
上記基部から上記スルーホールに挿入される挿入方向に延び、途中でこの挿入方向に対し横向きかつ互いに離れる外向きに折れて延在し外向きに凸の曲線を描いて互いに再び近づく内向きに延在する各ばね部と、このばね部から上記挿入方向に延び先端側において外向きに突出してそのスルーホール挿入後にそのばね部の外向きの反発力によりそのスルーホールの縁に係止される係止部とを有する一対の第１の脚部と、
上記基部から延び、上記ばね部よりも先端側においてこのばね部と対向する位置まで延び、このばね部の伸びを規制する規制部を有する第２の脚部とを備えたものであること特徴とする実装構造。
【００１９】
本発明の実装構造は、本発明の保持部材を有する実装構造であるため、その保持部材の利点と同様に、スルーホール内面の損傷が防止される。また、保持部材を電気回路基板にはんだ付けして実装するにあたって、スルーホールに挿入されただけでまだはんだ付けされていない状態で脚部がスルーホールから抜けてしまったり、この状態で保持部材が強く引っ張られてばね部が伸びてしまうことが防止され、コネクタハウジングの底面と電気回路基板の表面との間に隙間が生じた状態ではんだ付けされてしまうといった不具合が回避される。
【００２０】
また、上記目的を達成する本発明の電子部品は、
スルーホールが設けられた電気回路基板に保持される電子部品であって、
上記スルーホールに挿入される脚部を有し、上記電気回路基板に上記電子部品を保持させる保持部材を備え、
上記保持部材は、
上記電子部品に固定される板状の基部と、
上記基部から上記スルーホールに挿入される挿入方向に延び、途中でこの挿入方向に対し横向きかつ互いに離れる外向きに折れて延在し外向きに凸の曲線を描いて互いに再び近づく内向きに延在する各ばね部と、このばね部から上記挿入方向に延び先端側において外向きに突出してそのスルーホール挿入後にそのばね部の外向きの反発力によりそのスルーホールの縁に係止される係止部とを有する一対の第１の脚部と、
上記基部から延び、上記ばね部よりも先端側においてこのばね部と対向する位置まで延び、このばね部の伸びを規制する規制部を有する第２の脚部とを備えたものであること特徴とする。
【００２１】
本発明の電子部品は、本発明の保持部材を有する電子部品であるため、その保持部材の利点と同様に、スルーホール内面の損傷が防止されるとともに、スルーホールに挿入されただけでまだはんだ付けされていない状態で脚部がスルーホールから抜けてしまうことが防止される。また、スルーホールに挿入されただけでまだはんだ付けされていない状態で保持部材が強く引っ張られたとしても、ばね部が伸びてしまうことが防止され、コネクタハウジングの底面と電気回路基板の表面との間に隙間が生じた状態ではんだ付けされてしまうといった不具合が回避される。
【発明の効果】
【００２２】
本発明によれば、スルーホール内面を損傷することなく、スルーホールに挿入されただけでまだはんだ付けされていない状態で脚部がスルーホールから抜けてしまうことを防止した保持部材、このような保持部材が電気回路基板に実装された実装構造、およびこのような保持部材を備えた電子部品が提供される。
【発明を実施するための最良の形態】
【００２３】
以下、図面を参照して本発明の実施の形態を説明する。
【００２４】
図１〜図３は、本発明の保持部材についての第１実施形態を示す外観図である。図１は、保持部材１を前面斜め上から見た斜視図である。また、図２は、保持部材１を背面斜め上から見た斜視図である。また、図３において、（ａ）は左側面図、（ｂ）は正面図、（ｃ）は右側面図、（ｄ）は背面図である。
【００２５】
保持部材１は、電気回路基板に設けられたスルーホールに（図４参照）挿入されて電気回路基板にコネクタを保持するものである。保持部材１は、銅合金、例えば真ちゅう製の板が、打抜き、印圧及び曲げ加工されることにより形成されている。また、保持部材１には、表面が溶融はんだによって濡れるように、例えば錫めっき処理が施されている。尚、保持部材１のめっき処理は、錫めっき処理に限らず、例えばはんだめっき処理や金めっき処理などでもよい。保持部材１は、基部１０と、一対の第１の脚部２０と、第２の脚部３０とから構成されている。
【００２６】
基部１０は、矩形状の一辺から下向きに突出した突出部１６を有する。基部１０の側縁１１には、突起１２が設けられている。基部１０は、コネクタの絶縁ハウジングの側面に設けられた溝に圧入されて固定される。突起１２は抜止めのためのものである。また、基部１０の上端の折曲部１４には、突起１５が設けられている。この突起１５も、突起１２と同様に抜止めのためのものであって、コネクタの絶縁ハウジングへの取付け方に応じて、突起１２と突起１５のいずれを用いても良い。また、基部１０には、曲げモーメントに対する強度を高めるためのリブ１３が、印圧加工により形成されている。基部１０のうちの、矩形状の一辺から下向きに突出した突出部１６からは、一対の第１の脚部２０が、スルーホールに挿入される挿入方向に延びている。また、基部１０の突出部１６からは、第２の脚部３０が、一対の第１の脚部２０と同一方向に延びている。
【００２７】
一対の第１の脚部２０は、電気回路基板に設けられたスルーホールに、スルーホールの内面に接触しながら挿入される部分である。一対の第１の脚部２０は、突出部１６から細長く延びる板が曲げ形成されたものである。一対の第１の脚部２０は、それぞれが、突出部１６から延びるばね部２１と、ばね部２１から連続して延びる嵌入部２２とから構成されている。嵌入部２２は、スルーホールに挿入される部分である。ばね部２１は、途中で挿入方向に対し横向きかつ互いに離れる外向きに折れて延び外向きに凸の曲線を描いて互いに再び近づく内向きに延びており、このばね部２１の外向きに延びる部分の板面と内向きに延びる部分の板面とが、互いに対向する向きに形成されている。嵌入部２２は、ばね部２１からほぼ直角に折り曲げられて挿入方向に延び、突出部１６および実装面５０ａ（図４参照）の双方にほぼ垂直である。また、一対の第１の脚部２０は、嵌入部２２の先端側において外向きに突出してスルーホール挿入後にばね部２１の外向きの反発力によりスルーホールの縁に引っ掛かる係止部２３を有する。
【００２８】
一対の第１の脚部２０は、嵌入部２２で互いにほぼ同じ向き、すなわち、スルーホールに挿入される挿入方向に延びている。また、一対の第１の脚部２０は、基部１０に支えられたばねであり、弾性変位した状態でスルーホールに挿入される。
【００２９】
第２の脚部３０は、一対の第１の脚部２０のほぼ中央に形成されたものであって、基部１０から、一対の第１の脚部２０と同一方向の、スルーホールへの挿入の向きに延び、ばね部２１よりも先端側においてほぼ直角に折り曲げられてばね部２１と対向する位置まで延び、一対の第１の脚部２０が挿入方向に強く引っ張られることによるばね部２１のその挿入方向への伸びを規制する規制部３１を有する。また、第２の脚部３０は、規制部３１からほぼ直角に折り曲げられてさらにスルーホールへの挿入の向きに延び、一対の第１の脚部２０との間に、溶融はんだが毛細管現象により流入する隙間を形成している。より具体的には、この隙間の幅の平均は、約０．４ｍｍである。
【００３０】
図４は、図１に示す保持部材１が、電気回路基板５０のスルーホール５１に挿入された状態を示す正面図である。
【００３１】
電気回路基板５０には、スルーホール５１が形成されており、スルーホール５１の内面およびスルーホール５１近傍の電気回路基板５０上には、図示しない銅めっき層が形成されている。電気回路基板５０の典型的な厚さは、１．２ｍｍ〜１．６ｍｍである。
【００３２】
保持部材１は、電気回路基板５０の実装面５０ａ側から挿入される。詳細には、一対の第１の脚部２０および第２の脚部３０がスルーホール５１に挿入される。
【００３３】
第１実施形態の保持部材１の一対の第１の脚部２０がばね部２１を有するため、スルーホール５１に挿入するときに、一対の第１の脚部２０の外面がスルーホール５１内面にソフトに接触する。従って、第１実施形態の保持部材１によれば、スルーホール５１内面の損傷が防止される。
【００３４】
また、第１実施形態の保持部材１の一対の第１の脚部２０が係止部２３を有するため、スルーホール５１に挿入されただけでまだはんだ付けされていない状態で一対の第１の脚部２０および第２の脚部３０がスルーホール５１から抜けてしまうことが防止される。
【００３５】
また、第１実施形態の保持部材１の第２の脚部３０が規制部３１を有するため、一対の第１の脚部２０のばね部２１の上記挿入方向への伸びが規制される。従って、第１実施形態の保持部材１によれば、スルーホール５１に挿入されただけでまだはんだ付けされていない状態、すなわち、係止部２３がスルーホール５１の縁に引っ掛かった状態で、保持部材１が強く引っ張られたとしても、ばね部２１が伸びてしまうことが防止され、コネクタハウジングの底面と電気回路基板の表面との間に隙間が生じた状態ではんだ付けされてしまうといった不具合が回避される。
【００３６】
スルーホール５１に挿入された保持部材１は、はんだフロー工程において、コネクタの端子と共に電気回路基板５０にはんだ付けされる。
【００３７】
続いて、保持部材１が電気回路基板５０にはんだにより固定された実装構造を、はんだフロー工程によりはんだ付けが行われる過程とともに説明する。
【００３８】
図５および図６は、上述の保持部材１が、はんだによって電気回路基板５０に固定された実装構造６０を示す図である。図５は、実装構造の側面図であり、図６は、実装構造の縦断面図である。
【００３９】
また、図５および図６は、保持部材１が電気回路基板５０にはんだによって固定された実装構造６０を示すと同時に、はんだフロー工程で、溶融はんだが電気回路基板５０と保持部材１とに付着する様子も示している。ここで、はんだフロー工程での溶融状態にあるはんだ、および固化した状態にあるはんだの双方に同一の符号６１を付して説明する。
【００４０】
はんだフロー工程では、保持部材１がスルーホール５１に挿入された状態で、電気回路基板５０のはんだ面５０ｂが、溶融はんだ６１に浸される。すると、スルーホール５１の内面５１ａおよびスルーホール５１近傍の実装面５０ａに形成されている銅めっき層（図示しない）と、保持部材１とが、いずれも溶融はんだ６１で濡れる。溶融はんだ６１は、一対の第１の脚部２０の表面およびスルーホール５１の内面５１ａを伝って、スルーホール５１内を上昇する。一対の第１の脚部２０のほぼ中央には、第２の脚部３０が形成されているため、溶融はんだ６１は、第２の脚部３０の表面も伝って上昇する。しかも、第２の脚部３０と一対の第１脚部２０との隙間は、溶融はんだ６１が毛細管現象により流入する幅を有している。このため、溶融はんだ６１は、毛細管現象により、第２の脚部３０と一対の第１脚部２０との隙間を伝って吸い上げられる。やがて、スルーホール５１内に吸い上げられた溶融はんだ６１は、一対の第１の脚部２０および第２の脚部３０の表面を伝って上昇する。
【００４１】
この結果、図６に示すように、溶融はんだ６１は、スルーホール５１を完全に埋め、さらに、スルーホール５１から電気回路基板５０の実装面５０ａ上に吸い上げられる。そして、電気回路基板５０の実装面５０ａ上には、一対の第１の脚部２０および第２の脚部３０と、電気回路基板５０の実装面５０ａとにまたがるはんだフィレットが形成される。
【００４２】
実装構造６０は、はんだフロー工程の後に、溶融はんだ６１が冷えて固化することにより形成される。電気回路基板５０のはんだ面５０ｂ上には、はんだ６１により、一対の第１の脚部２０および第２の脚部３０と、はんだ面５０ｂとにまたがるはんだフィレットが形成され、さらに、実装面５０ａ上にも、一対の第１の脚部２０および第２の脚部３０と、実装面５０ａとにまたがるはんだフィレットが形成されている。なお、図５および図６に示す実装構造６０が、本発明の実装構造の一例に相当する。
【００４３】
本実施形態の実装構造６０によれば、電気回路基板５０と、保持部材１の一対の第１の脚部２０および第２の脚部３０とが、相互にはんだ付けされるため、保持部材１が、電気回路基板５０に強固に固定される。つまり、保持部材１を備えるコネクタは、はんだ付け工程を経ることによって電気回路基板５０に強固に固定される。
【００４４】
また、はんだは柔らかい金属なので、仮に、一対の第１の脚部２０の間に、はんだのみが充填されると、そのはんだが引抜力に対して変形し易い。しかし、本実施形態の実装構造６０によれば、一対の第１の脚部２０どうしの間に、第２の脚部３０が配置されているため、スルーホール５１に充填されるはんだ層が薄く、第２の脚部３０が外力を受け止める。したがって、スルーホール５１に充填されたはんだが引抜力に対して変形し難い。
【００４５】
続いて、保持部材により電気回路基板に保持されるコネクタについて説明する。
【００４６】
図７および図８は、本発明の電子部品の一実施形態であるコネクタ８０を示す図である。図７はコネクタ８０を斜め後方から見た斜視図である。また、図８において、（ａ）は側面図であり、（ｂ）は正面図である。
【００４７】
コネクタ８０は、電子機器に内蔵される電気回路基板に実装され、対となる他のコネクタ（図示しない）と嵌合することにより、電気回路基板上の回路と、他の回路とを電気的に接続するものである。
【００４８】
コネクタ８０は、上述した保持部材１と、電気回路基板上の回路と接続するコンタクト８１と、保持部材１およびコンタクト８１を固定するハウジング８２とを備えている。保持部材１の基部１０が、コネクタ８０に設けられた溝８３に圧入されることで、保持部材１がコネクタ８０に取付けられる。
【００４９】
図９は、図７および図８に示すコネクタ８０が、電気回路基板５０に保持された状態を示す図である。
【００５０】
保持部材１がスルーホール５１に挿入されることにより、コネクタ８０が、電気回路基板５０に保持される。この状態の電気回路基板５０がはんだフロー工程を経ると、保持部材１は、電気回路基板５０にはんだ付けされる。
【００５１】
本実施形態のコネクタ８０によれば、スルーホール５１内面を損傷することなく、スルーホール５１に挿入されただけでまだはんだ付けされていない状態で、スルーホール５１の縁に引っ掛かる係止部２３によって電気回路基板５０から脱落しないよう保持される。すなわち、一対の第１の脚部２０および第２の脚部３０がスルーホール５１から抜けてしまうことが防止される。
【００５２】
次に、本発明の保持部材についての第２実施形態について説明する。
【００５３】
尚、以下説明する第２実施形態は、上述した第１実施形態の保持部材１の第２の脚部３０を、この第２の脚部３０とは異なる形状の第２の脚部４０に置き換えたものである。
【００５４】
以下、第１実施形態における要素と同じ要素については同じ符号を付して説明を省略し、第１実施形態との相違点についてのみ説明する。
【００５５】
図１０〜図１２は、本発明の保持部材についての第２実施形態を示す外観図である。図１０は、保持部材２を前面斜め上から見た斜視図である。また、図１１は、保持部材２を背面斜め上から見た斜視図である。また、図１２において、（ａ）は左側面図、（ｂ）は正面図、（ｃ）は右側面図、（ｄ）は背面図である。
【００５６】
保持部材２の第２の脚部４０は、一対の第１の脚部２０のほぼ中央に形成されたものであって、基部１０から、一対の第１の脚部２０と同一方向の、スルーホールへの挿入の向きに延び、ばね部２１よりも先端側において、挿入方向に対し横向きかつ互いに離れる外向きに延びてばね部２１と対向する位置まで延び、一対の第１の脚部２０が挿入方向に強く引っ張られることによるばね部２１のその挿入方向への伸びを規制する規制部４１を有する。
【００５７】
このような第２の脚部４０を有する第２実施形態の保持部材２も、上述した第１実施形態の保持部材１と同様に、スルーホール内面の損傷が防止されるとともに、スルーホールに挿入されただけでまだはんだ付けされていない状態で脚部がスルーホールから抜けてしまうことが防止される。また、スルーホールに挿入されただけでまだはんだ付けされていない状態、すなわち、係止部２３がスルーホール５１の縁に引っ掛かった状態で、保持部材２が強く引っ張られたとしても、規制部４１によってばね部２１が伸びてしまうことが防止され、コネクタハウジングの底面と電気回路基板の表面との間に隙間が生じた状態ではんだ付けされてしまうといった不具合が回避される。
【００５８】
尚、本実施形態では、本発明の電子部品の一例としてコネクタ８０を説明したが、本発明は、これに限るものではなく、保持部材により電気回路基板に保持される他の電子部品にも適用される。
【００５９】
また、本実施形態のコネクタ８０については、まず、コネクタ８０に保持部材１が取付けられた後に、はんだフロー工程においてはんだ付けされる例を説明したが、本発明はこれに限るものではない。例えば、まず図６に示すように、保持部材１が電気回路基板５０にはんだ付けされた後に、保持部材１がコネクタ８０に固定されることとしてもよい。
【００６０】
また、本実施形態では、はんだフロー工程によりはんだ付けされる例を説明したが、本発明は、これに限るものではない。はんだ付けは、例えば、はんだペーストをスルーホール内に予め充填することにより、はんだリフロー工程で行うことや、半田ごてによるはんだ付け（いわゆる手はんだ）工程で行うことも可能である。
【００６１】
また、本実施形態では、保持部材１は、錫めっき処理が施された真ちゅう製であるとして説明したが、本発明はこれに限るものではない。保持部材は、表面が溶融はんだによって濡れる金属製であればよく、例えば、本実施形態の保持部材のように真ちゅうなどといった銅合金製であれば、錫めっき処理を省略することができる。
【図面の簡単な説明】
【００６２】
【図１】本発明の保持部材についての第１実施形態を前面斜め上から見た外観斜視図である。
【図２】本発明の保持部材についての第１実施形態を背面斜め上から見た外観斜視図である。
【図３】本発明の保持部材についての第１実施形態を示す左側面図、正面図、右側面図、および背面図である。
【図４】図１に示す保持部材が、電気回路基板のスルーホールに挿入された状態を示す正面図である。
【図５】はんだフロー工程により、保持部材が電気回路基板にはんだにより固定された実装構造を示す側面図である。
【図６】はんだフロー工程により、保持部材が電気回路基板にはんだにより固定された実装構造を示す縦断面図である。
【図７】本発明の電子部品の一実施形態であるコネクタを示す斜視図である。
【図８】本発明の電子部品の一実施形態であるコネクタを示す側面図および正面図である。
【図９】図６および図７に示すコネクタが、電気回路基板に保持された状態を示す図である。
【図１０】本発明の保持部材についての第２実施形態を前面斜め上から見た外観斜視図である。
【図１１】本発明の保持部材についての第２実施形態を背面斜め上から見た外観斜視図である。
【図１２】本発明の保持部材についての第２実施形態を示す左側面図、正面図、右側面図、および背面図である。
【符号の説明】
【００６３】
１，２    保持部材
１０    基部
１１    側縁
１２    突起
１３    リブ
１４    折曲部
１５    突起
１６    突出部
２０    一対の第１の脚部
２１    ばね部
２２    嵌入部
２３    係止部
３０，４０    第２の脚部
３１，４１    規制部
５０    電気回路基板
５０ａ    実装面
５０ｂ    はんだ面
５１    スルーホール
５１ａ    内面
６０    実装構造
６１    溶融はんだ、はんだ
８０    コネクタ
８１    コンタクト
８２    ハウジング
８３    溝
【図１】
0005036579.tif 000002
【図２】
0005036579.tif 000003
【図３】
0005036579.tif 000004
【図４】
0005036579.tif 000005
【図５】
0005036579.tif 000006
【図６】
0005036579.tif 000007
【図７】
0005036579.tif 000008
【図８】
0005036579.tif 000009
【図９】
0005036579.tif 000010
【図１０】
0005036579.tif 000011
【図１１】
0005036579.tif 000012
【図１２】
0005036579.tif 000013